(57)【要約】【課題】比較的簡易な構成で、クリーニング部で除去・回収した未転写トナーを、ダメージを与えることなく、現像部と廃トナー回収部とのいずれかに切り替えて搬送することができる、画像形成装置、及び、プロセスカートリッジを提供する。【解決手段】現像部５に通じる第１流入口３１ａと廃トナー回収部８に通じる第２流入口３２ａとに連通する合流部３０に、搬送部１０から落下された未転写トナーを第１傾斜面６０ａに沿わせて第１流入口３１ａに導く第１位置と、搬送部１０から落下された未転写トナーを第２傾斜面６０ｂに沿わせて第２流入口３２ａに導く第２位置と、の間を移動する切替部材６０を設置している。【選択図】図２
2014238571.tif 000002
【特許請求の範囲】
【請求項１】
内部にトナーが収容されて、像担持体の表面に形成された潜像を現像してトナー像を形成する現像部と、
前記像担持体の表面に付着した未転写トナーを前記像担持体から除去するクリーニング部と、
未転写トナーを廃トナーとして回収する廃トナー回収部と、
前記現像部に通じる第１落下経路部の第１流入口と、前記廃トナー回収部に通じる第２落下経路部の第２流入口と、に連通するように双方の落下経路部の上流側に配設された合流部と、
前記クリーニング部で除去された未転写トナーを搬送して前記合流部に向けて落下させる搬送部と、
を備え、
前記合流部は、前記搬送部から落下された未転写トナーを第１傾斜面に沿わせて前記第１流入口に導く第１位置と、前記搬送部から落下された未転写トナーを第２傾斜面に沿わせて前記第２流入口に導く第２位置と、の間を移動可能に形成された切替部材を具備したことを特徴とする画像形成装置。
【請求項２】
前記切替部材は、前記第１位置に位置しているときに前記第１流入口を開放して前記第２流入口を底部で閉鎖して、前記第２位置に位置しているときに前記第１流入口を前記底部で閉鎖して前記第２流入口を開放するように構成されたことを特徴とする請求項１に記載の画像形成装置。
【請求項３】
前記切替部材の前記第１傾斜面及び前記第２傾斜面は、その傾斜面の中央部が傾斜方向に沿うように半円筒状に形成されたことを特徴とする請求項１又は請求項２に記載の画像形成装置。
【請求項４】
前記切替部材は、前記第１傾斜面及び前記第２傾斜面に直交する断面が略二等辺三角形になり、その頂角が４０度以下になるように形成されたことを特徴とする請求項１〜請求項３のいずれかに記載の画像形成装置。
【請求項５】
前記搬送部は、円筒状の搬送管に、所定方向に回転駆動される搬送部材が内設されたものであって、
前記切替部材は、その頂部に、前記搬送管の外径に沿うように切欠部が形成されたことを特徴とする請求項１〜請求項４のいずれかに記載の画像形成装置。
【請求項６】
前記切替部材は、移動機構によって前記第１位置と前記第２位置との間を直線的に移動するように構成されたことを特徴とする請求項１〜請求項５のいずれかに記載の画像形成装置。
【請求項７】
前記移動機構は、送りネジ、ラック・ピニオン機構、ソレノイドのうちいずれかを用いたものであることを特徴とする請求項６に記載の画像形成装置。
【請求項８】
前記切替部材は、前記第１傾斜面と前記第２傾斜面とが同じ傾斜面であって、移動機構によって前記第１位置と前記第２位置との間を回転移動するように構成されたことを特徴とする請求項１〜請求項３のいずれかに記載の画像形成装置。
【請求項９】
前記切替部材を移動させる移動機構の駆動源と、前記合流部と、の間に断熱材を設けたことを特徴とする請求項１〜請求項８のいずれかに記載の画像形成装置。
【請求項１０】
前記切替部材を移動させる移動機構において前記合流部及び前記第１落下経路部及び前記第２落下経路部のいずれかに内設された部分への未転写トナーの付着を防止するトナー付着防止手段を設けたことを特徴とする請求項１〜請求項９のいずれかに記載の画像形成装置。
【請求項１１】
前記切替部材が前記第１位置に位置しているときに前記第２傾斜面に接触した状態で前記第２傾斜面に沿った落下経路を遮断する第１壁部と、
前記切替部材が前記第２位置に位置しているときに前記第１傾斜面に接触した状態で前記第１傾斜面に沿った落下経路を遮断する第２壁部と、
を具備したことを特徴とする請求項１〜請求項１０のいずれかに記載の画像形成装置。
【請求項１２】
画像形成装置本体に対して着脱可能に設置されるプロセスカートリッジであって、
内部にトナーが収容されて、像担持体の表面に形成された潜像を現像してトナー像を形成する現像部と、
前記像担持体の表面に付着した未転写トナーを前記像担持体から除去するクリーニング部と、
未転写トナーを廃トナーとして回収する廃トナー回収部と、
前記現像部に通じる第１落下経路部の第１流入口と、前記廃トナー回収部に通じる第２落下経路部の第２流入口と、に連通するように双方の落下経路の上流側に配設された合流部と、
前記クリーニング部で除去された未転写トナーを搬送して前記合流部に向けて落下させる搬送部と、
を備え、
前記合流部は、前記搬送部から落下された未転写トナーを第１傾斜面に沿わせて前記第１流入口に導く第１位置と、前記搬送部から落下された未転写トナーを第２傾斜面に沿わせて前記第２流入口に導く第２位置と、の間を移動可能に形成された切替部材を具備したことを特徴とするプロセスカートリッジ。
【発明の詳細な説明】
【技術分野】
【０００１】
この発明は、複写機、プリンタ、ファクシミリ、又は、それらの複合機等の画像形成装置と、そこに着脱可能に設置されるプロセスカートリッジと、に関し、特に、クリーニング部で回収した未転写トナーを、リサイクルトナーとして現像部に供給したり、廃トナーとして廃トナー回収部に搬送したり、切り替えることができる、画像形成装置、及び、プロセスカートリッジに関するものである。
【背景技術】
【０００２】
従来から、複写機やプリンタ等の画像形成装置において、感光体ドラム、中間転写ベルト等の像担持体に付着した未転写トナー（残留トナー）をクリーニング部で除去・回収して、回収した未転写トナーをリサイクルトナーとして現像部に供給するモードと、回収した未転写トナーを廃トナーとして廃トナー回収部に搬送するモードと、を適宜に切り替える技術が知られている（例えば、特許文献１、２参照。）。
【０００３】
詳しくは、特許文献１には、搬送スクリュが内設されたトナー搬送パイプ（パイプ部材）の下流側端部に開口を設けて、トナー搬送パイプを回動させて開口を下方に向けたり上方に向けたりすることで、クリーニング部で回収した未転写トナーの搬送先を、再使用トナー搬送経路と廃棄トナー搬送経路とのいずれかに切り替える技術が開示されている。
また、特許文献２には、未転写トナー（回収トナー）の輸送経路中にエアーポンプを設けて、エアーポンプを駆動・駆動停止することで、クリーニング部で回収した未転写トナーの搬送先を、現像部（現像手段）と廃トナー回収部（回収容器）とのいずれかに切り替える技術が開示されている。
【発明の概要】
【発明が解決しようとする課題】
【０００４】
上述した特許文献１の技術は、トナー搬送パイプを回動させて開口の向きを変えるときに、開口の近傍のトナーが壁部との間に挟まれてトナー搬送パイプの回動によって擦られてダメージを受けてしまう可能性があった。そして、このようにダメージを受けたトナーがリサイクルトナーとして現像部に供給されてしまうと、出力画像において異常画像が発生してしまうことになる。
また、特許文献２の技術は、未転写トナーの搬送先を切り替えるためにエアーポンプを設置しているため、装置が大型化・高コスト化してしまっていた。
【０００５】
この発明は、上述のような課題を解決するためになされたもので、比較的簡易な構成で、クリーニング部で除去・回収した未転写トナーを、ダメージを与えることなく、現像部と廃トナー回収部とのいずれかに切り替えて搬送することができる、画像形成装置、及び、プロセスカートリッジを提供することにある。
【課題を解決するための手段】
【０００６】
この発明の請求項１記載の発明にかかる画像形成装置は、内部にトナーが収容されて、像担持体の表面に形成された潜像を現像してトナー像を形成する現像部と、前記像担持体の表面に付着した未転写トナーを前記像担持体から除去するクリーニング部と、未転写トナーを廃トナーとして回収する廃トナー回収部と、前記現像部に通じる第１落下経路部の第１流入口と、前記廃トナー回収部に通じる第２落下経路部の第２流入口と、に連通するように双方の落下経路部の上流側に配設された合流部と、前記クリーニング部で除去された未転写トナーを搬送して前記合流部に向けて落下させる搬送部と、を備え、前記合流部は、前記搬送部から落下された未転写トナーを第１傾斜面に沿わせて前記第１流入口に導く第１位置と、前記搬送部から落下された未転写トナーを第２傾斜面に沿わせて前記第２流入口に導く第２位置と、の間を移動可能に形成された切替部材を具備したものである。
【発明の効果】
【０００７】
本発明は、現像部に通じる第１流入口と廃トナー回収部に通じる第２流入口とに連通する合流部に、搬送部から落下された未転写トナーを第１傾斜面に沿わせて第１流入口に導く第１位置と、搬送部から落下された未転写トナーを第２傾斜面に沿わせて第２流入口に導く第２位置と、の間を移動する切替部材を設置している。これにより、比較的簡易な構成で、クリーニング部で除去・回収した未転写トナーが、ダメージを与えられることなく、現像部と廃トナー回収部とのいずれかに切り替えて搬送される、画像形成装置、及び、プロセスカートリッジを提供することができる。
【図面の簡単な説明】
【０００８】
【図１】この発明の実施の形態における画像形成装置を示す全体構成図である。
【図２】切替部材の動作を示す図である。
【図３】切替部材を示す斜視図である。
【図４】変形例１としての、トナー搬送切替部を示す構成図である。
【図５】変形例２としての、トナー搬送切替部を示す構成図である。
【図６】変形例３としての、トナー搬送切替部の動作を示す図である。
【図７】変形例４としての、トナー搬送切替部の動作を示す図である。
【図８】変形例５としての、トナー搬送切替部の動作を示す図である。
【発明を実施するための形態】
【０００９】
実施の形態．
以下、この発明を実施するための形態について、図面を参照して詳細に説明する。なお、各図中、同一又は相当する部分には同一の符号を付しており、その重複説明は適宜に簡略化ないし省略する。
【００１０】
まず、図１にて、画像形成装置全体の構成・動作について説明する。
図１において、１００は画像形成装置としてのプリンタ、６は感光体ドラム１上にトナー像（画像）を形成するプロセスカートリッジ（作像部）、７はパソコンなどの入力装置から入力された画像情報に基いた露光光Ｌを感光体ドラム１上に照射する露光部（書込み部）、９は感光体ドラム１上に形成されたトナー像を記録媒体Ｐに転写する転写ローラ（転写部）、１２は転写紙等の記録媒体Ｐが収納された給紙部（給紙カセット）、２０は記録媒体Ｐ上の未定着画像を定着する定着装置、２１は定着装置２０に設置された定着ローラ、２２は定着装置２０に設置された加圧ローラ、４５は転写ローラ９（転写部）に向けて記録媒体Ｐを搬送するレジストローラ（タイミングローラ）、を示す。
【００１１】
ここで、プロセスカートリッジ６は、像担持体としての感光体ドラム１と、帯電部４（帯電ローラ）と、現像部５（現像装置）と、クリーニング部２（クリーニング装置）と、搬送部１０（トナー搬送部）と、トナー搬送切替部３（トナー搬送切替機構）と、廃トナー回収部８（廃トナー回収部）と、が一体的にユニットとして構成されている。このプロセスカートリッジ６は、画像形成装置本体１００に対して、着脱可能（交換可能）に設置されている。
【００１２】
さらに詳しくは、像担持体としての感光体ドラム１は、負帯電性の有機感光体であって、ドラム状導電性支持体上に感光層等を設けたものである。
図示は省略するが、感光体ドラム１は、基層としての導電性支持体上に、絶縁層である下引き層、感光層としての電荷発生層及び電荷輸送層が順次積層されている。
帯電部４は、導電性芯金の外周に中抵抗の弾性層を被覆してなる帯電ローラである。帯電部４には不図示の電源部から所定の電圧が印加されて、これにより対向する感光体ドラム１の表面を一様に帯電する。
【００１３】
現像部５（現像装置）は、主として、感光体ドラム１に対向する現像ローラ５１と、仕切部材を介して並設された２つの搬送スクリュ５３、現像ローラ５１に対向するドクターブレード５２と、で構成される。現像ローラ５１は、内部に固設されてローラ周面に磁極を形成するマグネットと、マグネットの周囲を回転するスリーブと、で構成される。マグネットによって現像ローラ５１（スリーブ）上に複数の磁極が形成されて、現像ローラ５１上に現像剤が担持されることになる。現像部５内には、キャリアとトナーとからなる２成分現像剤が収容されている。また、図示は省略するが、現像部５は、プロセスカートリッジ６とは別に着脱可能に設置されたトナー容器（新品のトナーが収容されている。）が接続されている。
【００１４】
このように構成された現像部５は、次のように動作する。
現像ローラ５１のスリーブは、図１の時計方向に回転している。そして、マグネットにより形成された磁界によって現像ローラ５１上に担持された現像剤は、スリーブの回転にともない現像ローラ５１上を移動する。ここで、現像部５内の現像剤は、現像剤中のトナーの割合（トナー濃度）が所定の範囲内になるように調整される（トナー補給口を介してトナー容器から適宜にトナーが補給される）。
その後、現像剤収容部内に補給されたトナーは、２つの搬送スクリュ５３によって、現像剤とともに混合・撹拌されながら、仕切部材によって隔絶された２つの現像剤収容部を循環する（図１の紙面垂直方向の移動である。）。そして、現像剤中のトナーは、キャリアとの摩擦帯電によりキャリアに吸着して、現像ローラ５１上に形成された磁力によりキャリアとともに現像ローラ５１上に担持される。
【００１５】
現像ローラ５１上に担持された現像剤は、図１中の時計方向に搬送されて、ドクターブレード５２の位置に達する。そして、現像ローラ５１上の現像剤は、この位置で現像剤量が適量化された後に、感光体ドラム１との対向位置（現像領域である。）まで搬送される。そして、現像領域に形成された電界によって、感光体ドラム１上に形成された潜像にトナーが吸着される。その後、現像ローラ５１上に残った現像剤はスリーブの回転にともない現像剤収容部の上方に達して、この位置で現像ローラ５１から離脱される。
【００１６】
図１を参照して、クリーニング部２には、感光体ドラム１に当接して感光体ドラム１の表面に付着した未転写トナー（記録媒体Ｐから生じる紙粉、帯電部４による放電時に感光体ドラム１上に生じる放電生成物、トナーに添加されている添加剤、等の付着物も含むものとする。）を除去するクリーニングブレード２ａや、クリーニング部２で除去・回収された未転写トナー等の付着物をトナー搬送切替部３に向けて紙面垂直方向に搬送する搬送部材としての搬送スクリュ２ｂ、が設置されている。
クリーニングブレード２ａは、ウレタンゴム、ヒドリンゴム、シリコーンゴム、フッ素ゴム等のゴム材料からなる板状のブレード本体が保持板に保持されたものであって、感光体ドラム１表面に所定角度かつ所定圧力で当接している。これにより、感光体ドラム１上に付着する未転写トナーが機械的に掻き取られてクリーニング部２内に回収されることになる。なお、本実施の形態において、クリーニングブレード２ａは、感光体ドラム１の走行方向（回転方向）に対してカウンタ方向にて感光体ドラム１に当接している。
搬送スクリュ２ｂ（搬送部材）は、回転軸部（図２を参照できる。）にスクリュ部が螺旋状に巻装されたものであって、不図示の駆動モータからの駆動力をうけて所定方向に回転する。クリーニング部２は、搬送部１０（図２を参照できる。）に接続されている。
なお、本実施の形態におけるプロセスカートリッジ６には、その他に、トナー搬送切替部３や、廃トナー回収部８、が設置されているが、これらの部材については、図２、図３等を用いて後で詳しく説明する。
【００１７】
図１を参照して、画像形成装置１００における、通常の画像形成時の動作について説明する。
まず、パソコン等の入力装置から画像形成装置１の露光部７に画像情報が送信されるとは、露光部７からその画像情報に基づいた露光光Ｌ（レーザ光）が、感光体ドラム１上に向けて発せられる。
一方、感光体ドラム１は、矢印方向（反時計方向）に回転している。そして、まず、感光体ドラム１の表面は、帯電部４との対向部で、一様に帯電される（帯電工程である。）。こうして、感光体ドラム１上には、帯電電位が形成される。その後、帯電された感光体ドラム１表面は、それぞれの露光光Ｌの照射位置に達する。そして、その位置で、感光体ドラム１表面に静電潜像が形成される（露光工程である。）。
【００１８】
その後、静電潜像が形成された感光体ドラム１表面は、現像部５（現像ローラ５１）との対向位置に達する。そして、現像部５から感光体ドラム１上にトナーが供給されて、感光体ドラム１上の潜像が現像されてトナー像が形成される（現像工程である。）。
その後、現像工程後の感光体ドラム１表面は、転写ローラ９との対向部に達する。そして、転写ローラ９の位置で、レジストローラ４５により搬送された記録媒体Ｐ上に、感光体ドラム１上に形成されたトナー像が転写される（転写工程である。）。
【００１９】
そして、転写工程後の感光体ドラム１表面は、クリーニング部２との対向位置に達する。そして、この位置で、クリーニングブレード２ａによって感光体ドラム１上に残存する未転写トナー（紙粉等の、その他の付着物も含まれる。）が機械的に除去されて、クリーニング部２内に回収される（クリーニング工程である。）。
その後、感光体ドラム１表面は、除電部（不図示である。）の位置を順次通過して、感光体ドラム１における一連の作像プロセスが終了する。
【００２０】
一方、転写ローラ９（転写部）に搬送される記録媒体Ｐは、次のように動作する。
まず、給紙部１２に収納された記録媒体Ｐの最上方の１枚が、給紙ローラ４１によって、搬送経路に向けて給送される。
その後、記録媒体Ｐは、レジストローラ４５の位置に達する。そして、レジストローラ４５の位置に達した記録媒体Ｐは、感光体ドラム１上に形成された画像と位置合わせをするためにタイミングを合わせて、転写ローラ９（転写部）に向けて搬送される。
【００２１】
そして、転写工程後の記録媒体Ｐは、転写ローラ９の位置を通過した後に、搬送経路を経て定着装置２０に達する。定着装置２０に達した記録媒体Ｐは、定着ローラ２１と加圧ローラ２２との間に送入されて、定着ローラ２１から受ける熱と双方の部材２１、２２から受ける圧力とによって画像が定着される。画像が定着された記録媒体Ｐは、定着ローラ２１と加圧ローラ２２との間（ニップ部である。）から送出された後に、画像形成装置本体１から排出される。
こうして、一連の画像形成プロセスが完了する。
【００２２】
以下、本実施の形態において特徴的な、プロセスカートリッジ６（画像形成装置１００）の構成・動作について詳述する。
先に図１を用いて説明したように、本実施の形態におけるプロセスカートリッジ６（画像形成装置１００）には、トナー搬送切替部３（トナー搬送切替機構）や、廃トナー回収部８（廃トナー回収部）、が設置されている。
【００２３】
廃トナー回収部８（廃トナー回収容器）は、現像部５に隣接する位置であって、幅方向の一端側（図１の紙面垂直方向奥側である。）に設けられている。この廃トナー回収部８は、リサイクルトナーとして現像部５に供給されない未転写トナー（その他の付着物も含む。）を廃トナーとして回収するためのものである。
【００２４】
図２を参照して、トナー搬送切替部３（トナー搬送切替機構）は、クリーニング部２で除去されて搬送部１０（トナー搬送部）によって搬送された未転写トナーを、現像部５と廃トナー回収部８とのうちいずれかに搬送（供給）するためのものであって、幅方向の一端側に設けられている。
すなわち、クリーニング部２で回収された未転写トナーは、搬送部１０（円筒状の搬送管１１に、クリーニング部２から延在する搬送スクリュ２ｂが内設されている。）によってトナー搬送切替部３に向けて図２の白矢印方向に搬送される。そして、搬送された未転写トナーは、トナー搬送切替部３でその搬送先が切り替えられて、現像部５に向けてリサイクルトナーとして供給されたり、廃トナー回収部８に向けて廃トナーとして搬送されたりすることになる（リサイクルトナーモードと廃トナーモードとが切り替えられることになる。）。
【００２５】
ここで、図２、図３を参照して、トナー搬送切替部３には、合流部３０、第１落下経路部３１、第２落下経路部３２、切替部材６０、駆動モータ６１、送りネジ６２、軸部材６３（回り止め部材）、トナー付着防止手段としての庇部材６４、等が設置されている。
第１落下経路部３１は、現像部５の供給口（現像剤収容部の上方に、新品トナーが補給されるトナー補給口とは別に設けられている。）を介して、現像部５に通じるように形成されている。
第２落下経路部３２は、廃トナー回収部８の供給口（廃トナー回収部８の上方に設けられている。）を介して、廃トナー回収部８に通じるように形成されている。
【００２６】
合流部３０は、第１落下経路部３１の第１流入口３１ａと、第２落下経路部３２の第２流入口３２ａと、に連通するように双方の落下経路部３１、３２の上流側（上方）に配設されている。そして、搬送部１０によって搬送された未転写トナー（クリーニング部２で除去された未転写トナーである。）は、合流部３０に向けて落下（自重落下）されることになる。なお、合流部３０の上方には、搬送部１０（搬送管１１）の開口部が配設されている。
そして、合流部３０には、搬送部１０から落下された未転写トナーを第１傾斜面６０ａに沿わせて第１流入口６０ａに導く第１位置（図２（Ａ）の位置である。）と、搬送部１０から落下された未転写トナーを第２傾斜面６０ｂに沿わせて第２流入口３２ａに導く第２位置（図２（Ｂ）の位置である。）と、の間を移動可能に形成された切替部材６０が設置されている。
【００２７】
詳しくは、図２及び図３に示すように、切替部材６０は、第１傾斜面６０ａ及び第２傾斜面６０ｂに直交する断面が略二等辺三角形になり、その頂角が４０度以下になるように形成された略三角柱状の部材である。
そして、切替部材６０は、送りネジ６２を用いた移動機構６１〜６３によって第１位置（図２（Ａ）の位置である。）と第２位置（図２（Ｂ）の位置である。）との間を直線的に移動するように構成されている。詳しくは、切替部材６０には、送りネジ６２が螺合する雌ネジ部と、軸部材６３（回り止め部材）が嵌合する穴部と、が幅方向（図２の左右方向であって、図１の紙面垂直方向である。）に延在するように形成されている。そして、駆動モータ６１の稼働によって送りネジ６２が正方向に回転することで、切替部材６０は第１位置から第２位置に向けて移動することになる（図２の左方への移動である）。これに対して、駆動モータ６１の稼働によって送りネジ６２が逆方向に回転することで、切替部材６０は第２位置から第１位置に向けて移動することになる（図２の右方への移動である）。
【００２８】
そして、図２（Ａ）に示すように、合流部３０において切替部材６０が第１位置に位置した状態のとき、搬送部１０によって搬送された未転写トナーは、合流部３０において第１傾斜面６０ａに沿うように落下して、第１流入口３１ａから第１落下経路部３１に導かれて自重落下して、その後に現像部５に供給されることになる（第２落下経路部３２には供給されない）。
これに対して、図２（Ｂ）に示すように、合流部３０において切替部材６０が第２位置に位置した状態のとき、搬送部１０によって搬送された未転写トナーは、合流部３０において第２傾斜面６０ｂに沿うように落下して、第２流入口３２ａから第２落下経路部３２に導かれて自重落下して、その後に廃トナー回収部８に供給されることになる（第１落下経路部３１には供給されない）。
【００２９】
このように、本実施の形態では、トナー搬送切替部３にて、未転写トナーにダメージを与えることなく、比較的簡易に搬送先の切り替え（リサイクルトナーモードと廃トナーモードとの切り替え）をおこなうことができる。
また、本実施の形態において、切替部材６０は、第１傾斜面６０ａ及び第２傾斜面６０ｂに直交する断面が略二等辺三角形になり、その頂角が４０度以下になるように形成しているため、リサイクルトナーモード時であっても廃トナーモード時であっても傾斜面６０ａ、６０ｂ上でトナーを停滞させることなくバランスよく滑落させることができる。
なお、リサイクルトナーモードと廃トナーモードとの切替動作は、例えば、クリーニング部２で回収した付着物のうち純粋な未転写トナーの比率が高くなる場合（画像面積率が高い画像が形成される場合などである。）にはリサイクルモードとなり、未転写トナーの比率が低くなる場合には廃トナーモードとなるように制御することができる。
【００３０】
ここで、本実施の形態では、図２（Ａ）に示すように切替部材６０が第１位置に位置しているときに第１流入口３１ａを開放して第２流入口３２ａを底部６０ｃで閉鎖して、図２（Ｂ）に示すように切替部材６０が第２位置に位置しているときに第１流入口３１ａを底部６０ｃで閉鎖して第２流入口３２ａを開放するように構成されている。
これにより、第１落下経路部３１に未転写トナーを落下させているときに第２落下経路部３２に未転写トナーが流入してしまったり、第２落下経路部３２に未転写トナーを落下させているときに第１落下経路部３１に未転写トナーが流入してしまったりする不具合を確実に軽減することができる。
【００３１】
また、本実施の形態において、図３（Ａ）に示すように、切替部材６０の第１傾斜面３１ａや第２傾斜面３２ａを、その傾斜面の中央部が傾斜方向に沿うように半円筒状に形成することができる（符号６０ｂ１を付した溝部である。）。これにより、傾斜面３１ａ、３２ａを落下する未転写トナーは、側方に拡散することなく、傾斜面３１ａ、３２ａに沿って上方から下方に確実に落下することになる。
なお、図３（Ｂ）に示すように、半円筒状の溝部６０ｂ１を、上方から下方にかけて溝幅が漸増するように形成した場合には、溝部６０ｂ１において大量のトナーが滑落するときであっても、溝部６０ｂ１でトナーが停滞しにくくなる。
【００３２】
また、本実施の形態において、図３に示すように、切替部材６０の頂部には、搬送管１１（搬送スクリュ２ｂが内設された搬送部１０の搬送管１１である。）の外径に沿うように切欠部６０ｄが形成されている。
このような構成により、切替部材６０の頂部を搬送部１０（搬送管１１）に近接させることができるため、搬送部１０から落下した未転写トナーを切替部材６０の傾斜面６０ａ、６０ｂ上に確実に導くことができる。
【００３３】
さらに、切替部材６０を移動させる移動機構６１〜６３において合流部３０及び第１落下経路部３１及び第２落下経路部３２のいずれかに内設された部分（トナー搬送切替部３に内設された部分である。）への未転写トナーの付着を防止するトナー付着防止手段を設けることもできる。具体的に、図３（Ａ）を参照して、送りネジ６２や軸部材６３の上方に、トナー付着防止手段としての庇部材６４（切替部材６０に庇部材６４が嵌合する嵌合穴が形成されている。）を設けることで、送りネジ６２や軸部材６３に上方から落下した未転写トナーが付着して移動機構６１〜６３による切替部材６０の動作が鈍くなってしまう不具合を防止することができる。
【００３４】
なお、本実施の形態では、送りネジ６２を用いた移動機構６１〜６３によって、切替部材６０が第１位置と第２位置との間を直線的に移動するように構成した。
これに対して、図４に示すように、ラック・ピニオン機構を用いた移動機構６５、６６によって、切替部材６０が第１位置と第２位置との間を直線的に移動するように構成することもできる。詳しくは、不図示の駆動モータによって時計方向・反時計方向の双方向に回転駆動されるピニオン６５を、切替部材６０（合流部３０）の下方に設置する。他方、切替部材６０の底部には、ピニオン６５に噛合するラック６６を形成する。そして、ピニオン６５の時計方向・反時計方向の回転によって、切替部材６０が直線的に移動することになる。このように移動機構を構成した場合であっても、上述した本発明の効果と同様の効果を得ることができる。
【００３５】
さらに、図５に示すように、ソレノイド６７を用いた移動機構６７、６８によって、切替部材６０が第１位置と第２位置との間を直線的に移動するように構成することもできる。詳しくは、切替部材６０の移動方向一端側にはソレノイド６７の芯軸が連結されていて、切替部材６０の移動方向他端側には切替部材６０を移動方向他端側に付勢する引張スプリング６８が連結されている。そして、ソレノイド６７への通電をオンすることで、ソレノイド６７に芯軸が吸着されて引張スプリングの付勢力に抗するように切替部材６０が第１位置に移動したり、ソレノイド６７への通電をオフすることで、ソレノイド６７への芯軸の吸着が解除されて引張スプリングの付勢力によって切替部材６０が第２位置（図５の位置である。）に移動したりすることになる。このように移動機構を構成した場合であっても、上述した本発明の効果と同様の効果を得ることができる。
【００３６】
また、本実施の形態において、切替部材６０を移動させる移動機構の駆動源と、合流部３０（トナー搬送切替部３）と、の間に断熱材を設けることもできる。
詳しくは、図５の例では、移動機構の駆動源としてのソレノイド６７と、合流部３０（トナー搬送切替部３）と、の間に断熱材６９を設置している。これにより、ソレノイド６７の熱が合流部３０（トナー搬送切替部３）を介して、合流部３０（トナー搬送切替部３）を通過する未転写トナーに伝わってトナーが凝集する不具合を防止することができる。なお、このように作用する断熱材は、図２のように構成されたトナー搬送切替部３であっても、図４のように構成されたトナー搬送切替部３であっても、当然に設置することができる。
【００３７】
なお、本実施の形態では、移動機構６１〜６３によって切替部材６０が第１位置と第２位置との間を直線的に移動するように構成した。
これに対して、図６に示すように、移動機構７１によって切替部材６０が第１位置と第２位置との間を回転移動するように構成することもできる。詳しくは、不図示の駆動モータによって回転軸７１を中心にして切替部材６０が双方向に回転駆動されるように構成する。そして、図６（Ａ）に示すように切替部材６０が第１位置に位置するように回転されてリサイクルトナーモードが実行され、図６（Ｂ）に示すように切替部材６０が第２位置に位置するように回転されて廃トナーモードが実行されることになる。このように移動機構を構成した場合には、リサイクルトナーモード時に未転写トナーを滑落させる傾斜面と、廃トナーモード時に未転写トナーを滑落させる傾斜面と、が同じ傾斜面（図６の例では、第１傾斜面６０ａを用いている。）となる。
このように移動機構を構成した場合であっても、上述した本発明の効果と同様の効果を得ることができる。
【００３８】
さらに、図７に示すように、別の移動機構７２によって切替部材６０が第１位置と第２位置との間を回転移動するように構成することもできる。詳しくは、不図示の駆動モータによって回転軸７２（図７の紙面垂直方向に延在する回転軸である。）を中心にして切替部材６０が双方向に回転駆動されるように構成する。そして、図７（Ａ）に示すように切替部材６０が第１位置に位置するように回転されてリサイクルトナーモードが実行され、図７（Ｂ）に示すように切替部材６０が第２位置に位置するように回転されて廃トナーモードが実行されることになる。このように移動機構を構成した場合には、リサイクルトナーモード時に未転写トナーを滑落させる傾斜面６０ａと、廃トナーモード時に未転写トナーを滑落させる傾斜面６０ｂと、が別々の傾斜面となる。
このように移動機構を構成した場合であっても、上述した本発明の効果と同様の効果を得ることができる。
【００３９】
また、図８に示すように、切替部材６０が第１位置（図８（Ａ）の位置である。）に位置しているときに第２傾斜面６０ｂに接触した状態で第２傾斜面６０ｂに沿った落下経路（第２滑落経路）を遮断する第１壁部３ａと、切替部材６０が第２位置（図８（Ｂ）の位置である。）に位置しているときに第１傾斜面６０ａに接触した状態で第１傾斜面６０ａに沿った落下経路（第１滑落経路）を遮断する第２壁部３ｂと、を設けることもできる。
詳しくは、図８に示すトナー搬送切替部３は、図２に示すものと同様に、合流部３０、第１落下経路部３１、第２落下経路部３２、切替部材６０、駆動モータ６１、送りネジ６２、軸部材６３、等で構成されている。ここで、図８に示すトナー搬送切替部３には、搬送管１１（搬送部１０）の開口部の側に密着して搬送管１１との間に隙間が形成されないように、壁部（切替部ケース）が設けられている。そして、図８（Ａ）に示すように第１位置にある切替部材６０の第２傾斜面６０ｂに接触する第１壁部３ａと、図８（Ｂ）に示すように第２位置にある切替部材６０の第１傾斜面６０ａに接触する第２壁部３ｂと、が上述した壁部（切替部ケース）の一部として一体的に設けられている。
このような構成により、図８（Ａ）に示すように切替部材６０が第１位置に位置してリサイクルトナーモードが実行されるとき、合流部３０でトナーが浮遊してしまっても、第１壁部３ａが第２傾斜面６０ｂに上端から下端側に向けて密着した状態になっているため、浮遊したトナーが第２滑落経路を介して第２落下経路部３２の側に侵入する不具合を防止することができる。同様に、図８（Ｂ）に示すように切替部材６０が第２位置に位置して廃トナーモードが実行されるとき、合流部３０でトナーが浮遊してしまっても、第２壁部３ｂが第１傾斜面６０ａに上端から下端側に向けて密着した状態になっているため、浮遊したトナーが第１滑落経路を介して第１落下経路部３１の側に侵入する不具合を防止することができる。なお、これらの壁部３ａ、３ｂと傾斜面６０ａ、６０ｂとの密着性を高めるために、これらの壁部３ａ、３ｂを他の壁部と区別して弾性材料（例えば、ゴム材料やスポンジ材料である。）で形成することもできる。
このようにトナー搬送切替部３を構成した場合であっても、上述した本発明の効果と同様の効果を得ることができる。
【００４０】
以上説明したように、本実施の形態においては、現像部５に通じる第１流入口３１ａと廃トナー回収部８に通じる第２流入口３２ａとに連通する合流部３０に、搬送部１０から落下された未転写トナーを第１傾斜面６０ａに沿わせて第１流入口３１ａに導く第１位置と、搬送部１０から落下された未転写トナーを第２傾斜面６０ｂに沿わせて第２流入口３２ａに導く第２位置と、の間を移動する切替部材６０を設置している。これにより、比較的簡易な構成で、クリーニング部２で除去・回収した未転写トナーを、ダメージを与えることなく、現像部５と廃トナー回収部８とのいずれかに切り替えて搬送することができる。
【００４１】
なお、本実施の形態では、１つのプロセスカートリッジ６（作像部）が設置されたモノクロの画像形成装置１００に対して本発明を適用したが、複数色のトナーに対応した複数のプロセスカートリッジ（作像部）が設置されたカラーの画像形成装置に対しても当然に本発明を適用することができる。
また、本実施の形態では、像担持体としての感光体ドラム１の付着物をクリーニング部２で回収して現像部５に供給する装置に対して本発明を適用したが、像担持体としての中間転写ベルト（中間転写体）の付着物をクリーニング部で回収して現像部に供給する装置に対しても当然に本発明を適用することができる。
さらに、本実施の形態では、トナー搬送切替部３の下方に直接的に現像部５や廃トナー回収部８を設けたが、トナー搬送切替部３の下方に中継搬送部を介して間接的に現像部５や廃トナー回収部８を設けることもできる。
そして、それらの場合であっても、本実施の形態と同様の効果を得ることができる。
【００４２】
なお、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【符号の説明】
【００４３】
１  感光体ドラム（像担持体）、
２  クリーニング部（クリーニング装置）、
２ａ  クリーニングブレード、  ２ｂ  搬送スクリュ（搬送部材）、
５  現像部（現像装置）、
３  トナー搬送切替部（トナー搬送切替機構）、
６  プロセスカートリッジ、
８  廃トナー回収部（廃トナー回収容器）、
１０  搬送部（トナー搬送部）、
１１  搬送管、
３０  合流部、
３１  第１落下経路部、
３１ａ  第１流入口、
３２  第２落下経路部
３２ａ  第２流入口、
６０  切替部材、
６０ａ  第１傾斜面、  ６０ｂ  第２傾斜面、
６０ｃ  底部、  ６０ｄ  切欠部、
６１  駆動モータ（駆動源）、
６２  送りネジ、  ６３  軸部材、  ６４  庇部材（トナー付着防止手段）、
６５  ピニオン、  ６６  ラック、
６７  ソレノイド（駆動源）、  ６８  引張スプリング、  ６９  断熱材、
７１、７２  回転軸、
１００  画像形成装置（画像形成装置本体）。
【先行技術文献】
【特許文献】
【００４４】
【特許文献１】特許第４３５４４７７号公報
【特許文献２】特許第４４５７２５４号公報
【図１】
2014238571.tif 000003
【図２】
2014238571.tif 000004
【図３】
2014238571.tif 000005
【図４】
2014238571.tif 000006
【図５】
2014238571.tif 000007
【図６】
2014238571.tif 000008
【図７】
2014238571.tif 000009
【図８】
2014238571.tif 000010